(57)【要約】【解決手段】リールは、側方から見て楕円形の左右一対の側壁(1)(2)と、これら側壁(1)(2)の中央部どうしを連結する中央筒部(3) と、これら側壁(1)(2)の一端部どうしおよび他端部どうしをそれぞれ連結する２本の棒状架橋部(4)(5)からなる。【効果】全体として偏平状のリール巻き水糸が得られ、水糸(12)の糸巻き量が多くなってもリール巻き水糸は偏平状のままであるので、作業衣のポケットには入れ易く、携帯性がよい。そのため、円胴状のリール巻き水糸のようにこれを紛失する恐れがなく、これを用いる作業を効率的に行うことができる。  【選択図】    図１
2006336277.tif 000002
【特許請求の範囲】
【請求項１】
楕円形の左右一対の側壁(1)(2)と、これら側壁(1)(2)の中央部どうしを連結する中央筒部(3) と、これら側壁(1)(2)の一端部どうしおよび他端部どうしをそれぞれ連結する架橋部(4)(5)とからなることを特徴とする水糸のリール。
【請求項２】
中央筒部(3) 内に支軸(8) が回転自在に設けられ、その両端に抜止め部(6)(7)が設けられ、側壁(1)(2)の各外面中央部に、抜止め部(6)(7)の少なくとも基部を収める凹所(13)が設けられていることを特徴とする請求項１記載の水糸のリール。
【請求項３】
少なくとも一方の側壁(1)(2)の周部に、糸止め用の切込み(9) が形成され、切込み(9) の両側縁部(10)(11)が切込み(9) 側に向かうに連れて肉薄となされていることを特徴とする請求項１または２記載の水糸のリール。
【発明の詳細な説明】
【技術分野】
【０００１】
本発明は、家屋の建設現場などにおいて直線を得る場合などに用いる水糸を巻き付けておくリールの改良に関するものである。
【背景技術】
【０００２】
従来のリール(20)は、図６に示すように、円板状の一対の側壁(21) (22)と、これら側壁の中央部どうしを連結する中央筒部とからなり、一対の側壁(21) (22)の間で中央筒部に水糸(23)を巻き付けるものである（例えば特許文献１参照）。
【特許文献１】実開昭６２−５７１１１号公報
【発明の開示】
【発明が解決しようとする課題】
【０００３】
上記のような構造の従来のリール(20)は、その中央筒部内に支軸を通してそのフランジ(24)で支軸を抜け止めし、支軸のグリップ部(25)を握持して支軸でリール(20)を回転自在に支持するように構成されている。この軸付きリール(20)は、水糸の巻き取りおよび巻き戻しがし易く、作業現場で主流をなしている。
【０００４】
しかし、水糸の糸巻き量が多くなるとそれだけリール巻き水糸のサイズは大きくなり、しかもリール巻き水糸は円胴状であるので、作業者のポケットには入れにくく、携帯しにくいという難点がある。携帯性が悪いと、場所を換えてリール巻き水糸を使う際に元の置き場までこれを取りに行かなければならず、また、これがコンクリートパネル等の建設資材の下になったり現場で盛った土の中に埋もれたりして紛失することがある。また、これは円胴状であるので所定の場所からどこかへ転がって行ってしまし、紛失することもある。このようなトラブルは作業効率を著しく低下させる。
【０００５】
本発明は、従来のリールが持っているこのような問題を解決することができるリールを提供することを課題とする。
【課題を解決するための手段】
【０００６】
請求項１記載の発明は、楕円形の左右一対の側壁(1)(2)と、これら側壁(1)(2)の中央部どうしを連結する中央筒部(3) と、これら側壁(1)(2)の一端部どうしおよび他端部どうしをそれぞれ連結する架橋部(4)(5)とからなることを特徴とする水糸のリールである。
【０００７】
請求項２記載の発明は、中央筒部(3) 内に支軸(8) が回転自在に設けられ、その両端に抜止め部(6)(7)が設けられ、側壁(1)(2)の各外面中央部に、抜止め部(6)(7)の少なくとも基部を収める凹所(13)が設けられていることを特徴とする請求項１記載の水糸のリールである。
【０００８】
請求項３記載の発明は、少なくとも一方の側壁(1)(2)の周部に、糸止め用の切込み(9) が形成され、切込み(9) の両側縁部(10)(11)が切込み(9) 側に向かうに連れて肉薄となされていることを特徴とする請求項１または２記載の水糸のリールである。
【０００９】
本特許請求の範囲および明細書全体を通して、楕円形とは、数学上の楕円形だけでなく、円をは有に引き伸ばした形、四角部を丸めた長方形等も含むこととする。架橋部は棒状のものでも平板状のものでもよく、さらに一端部の架橋部から他端部の架橋部まで連続する１枚の板状物で構成されていてもよい。
【発明の効果】
【００１０】
請求項１記載の発明によれば、リールは、楕円形の左右一対の側壁(1)(2)と、これら側壁(1)(2)の中央部どうしを連結する中央筒部(3) と、これら側壁(1)(2)の一端部どうしおよび他端部どうしをそれぞれ連結する架橋部(4)(5)とを具備するものであるので、一対の側壁(1)(2)の間で架橋部(4)(5)に亘って水糸(12)が巻き付けられ、全体として偏平状のリール巻き水糸が得られる。したがって、水糸(12)の糸巻き量が多くなってもリール巻き水糸は偏平状のままであるので、作業衣のポケットには入れ易く、携帯性がよい。そのため、円胴状のリール巻き水糸のようにこれを紛失する恐れがなく、これを用いる作業を効率的に行うことができる。
【００１１】
請求項２記載の発明によれば、側壁(1)(2)の各外面中央部に、抜止め部(6)(7)の少なくとも基部を収める凹所(13)が設けられているので、水糸(12)の巻き付けないしは巻き戻しの際に水糸(12)が側壁(1)(2)と抜止め部(6)(7)との間に入り込んで作業を妨げる恐れがない。
【００１２】
請求項３記載の発明によれば、少なくとも一方の側壁(1)(2)の周部に、糸止め用の切込み(9) が形成され、切込み(9) の両側縁部(10)(11)が切込み(9) 側に向かうに連れて肉薄となされているので、水糸(12)の先端部を両側縁部(10)(11)の弾性に抗して強制的に切込み(9) に通して、確実に掛け止めることができる。
【発明を実施するための最良の形態】
【００１３】
つぎに、本発明を具体的に説明するために、本発明の実施例を示す。
【００１４】
図１〜５において、本発明によるリールは、側方から見て楕円形の左右一対の側壁(1)(2)と、これら側壁(1)(2)の中央部どうしを連結する中央筒部(3) と、これら側壁(1)(2)の一端部どうしおよび他端部どうしをそれぞれ連結する２本の棒状架橋部(4)(5)からなる。
【００１５】
中央筒部(3) 内には支軸(8) が回転自在に設けられ、その両端に抜止め部(6)(7)が設けられ、側壁(1)(2)の各外面中央部に凹所(13)が形成され、そこに抜止め部(6)(7)の基部が収められている。
【００１６】
側壁(1)(2)の両端縁部にはそれぞれ、側方から見てＴ字状の切込み(9) が形成され、その垂直部(9a)の両側縁部(10)(11)が切込み(9) 側に向かうに連れて肉薄となされ、弾性を有するようになされている。
【００１７】
上記構成のリールにおいて、一対の側壁(1)(2)の間で２本の架橋部(4)(5)に亘って水糸(12)が巻き付けられ、全体として偏平状のリール巻き水糸が得られる。したがって、水糸(12)の糸巻き量が多くてもリール巻き水糸は偏平状のままであるので、作業員のポケットに入れ易く、携帯性がよい。
【００１８】
水糸(12)の巻き付けないしは巻き戻しの際に、水糸(12)は側壁(1)(2)と抜止め部(6)(7)との間に入り込んで作業を妨げる恐れがない。
【００１９】
水糸(12)の先端部を両側縁部(10)(11)の弾性に抗して強制的にＴ字状の切込み(9) の垂直部(9a)に通して、さらに水平部(9b)に確実に掛け止める。
【図面の簡単な説明】
【００２０】
【図１】実施例のリールを示す一部切欠平面図である。
【図２】実施例のリールを示す一部切欠側面図である。
【図３】実施例のリールの一端部を示す拡大側面図である。
【図４】図３中のIV−IV線に沿う断面図である。
【図５】図１中のＶ−Ｖ線に沿う断面図である。
【図６】従来のリールを示す斜視図である。
【符号の説明】
【００２１】
(1)(2)：側壁
(3) ：中央筒部
(4)(5)：架橋部
(6)(7)：抜止め部
(8) ：支軸
(13)：凹所
(9) ：切込み、(9a)：垂直部、(9b)：水平部
(10)(11)：両側縁部
(12)：水糸
【図１】
2006336277.tif 000003
【図２】
2006336277.tif 000004
【図３】
2006336277.tif 000005
【図４】
2006336277.tif 000006
【図５】
2006336277.tif 000007
【図６】
2006336277.tif 000008